(57)【要約】【課題】簡単な操作で像保持体の保護及び像形成構造体の位置決めを行うことができる画像形成装置、像形成構造体の装着方法、及び像形成構造体の取り出し方法を提供する。【解決手段】画像形成装置１０は、主開閉部２６と、感光体ドラム２１０及びシャッタ部材２３０を有する感光体ユニット２００と、リンク機構６００とを有する。リンク機構６００は、主開閉部２６が開かれることに連係してシャッタ部材２３０を、感光体を保護する位置へと移動させるとともに、感光体ユニット２００の画像形成装置本体１２への押圧を解除し、主開閉部２６が閉じられることに連係して、シャッタ部材２３０を、感光体ドラム２１０から離間する位置へ移動させ、感光体ユニット２００を画像形成装置本体１２へ押圧する。【選択図】図９
2010256486.tif 000002
【特許請求の範囲】
【請求項１】
画像形成装置本体と、
前記画像形成装置本体に設けられた開閉部と、
前記開閉部を開くことにより開放される開放部を介して前記画像形成装置本体内に着脱され、像を保持する像保持体及び前記像保持体を保護する位置と前記像保持体から離間した位置との間で移動する像保持体被覆部材を有する像形成構造体と、
前記開閉部が開かれることに連係して前記像保持体被覆部材を前記保護する位置に移動させ、前記開閉部が閉じられることに連係して前記像保持体被覆部材を前記離間した位置に移動させる移動機構と、
前記開閉部が開かれることに連係して前記像形成構造体の前記画像形成装置本体に対する押圧を解除し、前記開閉部が閉じられることに連係して前記像形成構造体を前記画像形成装置本体に押圧する押圧機構と、
を有する画像形成装置。
【請求項２】
前記押圧機構は、前記開閉部が開かれることに連係して前記像保持体の前記画像形成装置本体への押圧を解除し、前記開閉部が閉じられることに連係して前記像保持体を前記画像形成装置本体に押圧する請求項１記載の画像形成装置。
【請求項３】
前記移動機構は、前記開閉部が予め定められた位置まで開かれた後に、前記像保持体被覆部材の前記保護する位置への移動を開始させ、前記開閉部が予め定められた位置まで閉じられるまでに前記像保持体被覆部材の前記像保持体から離間した位置までの移動を完了させる請求項１又は２記載の画像形成装置。
【請求項４】
前記押圧機構は、前記開閉部が予め定められた位置まで開かれた後に、前記像形成構造体の前記画像形成装置本体に対する押圧の解除を開始させ、前記開閉部が予め定められた位置まで閉じられるまでに前記像形成構造体の前記画像形成装置本体に対する押圧を完了させる請求項１乃至３いずれか記載の画像形成装置。
【請求項５】
前記画像形成装置本体内に複数の前記像形成構造体が着脱され、前記画像形成装置本体は、複数の前記像形成構造体が押圧される被押圧部材を有する請求項１乃至４いずれか記載の画像形成装置。
【請求項６】
画像形成装置本体に装着された開閉部を開くことにより開放部を開放する工程と、
前記開放部を介して、前記画像形成装置本体内に像を保持する像保持体及び前記像保持体を保護する位置と前記像保持体から離間した位置との間で移動する像保持体被覆部材を有する像形成構造体を装着する工程と、
前記開閉部を閉じ、前記開閉部を閉じることに連係して前記像保持体被覆部材を前記離間した位置に移動させるとともに、前記開閉部を閉じることに連係して前記像形成構造体を前記画像形成装置本体に押圧する工程と、
を有する像形成構造体の装着方法。
【請求項７】
画像形成装置本体に装着された開閉部を開き、前記開閉部を開くことに連係して、像を保持する像保持体を備える像形成構造体が有する前記像保持体を保護する位置と前記像保持体から離間した位置との間で移動する像保持体被覆部材を、前記保護する位置に移動させるとともに、前記開閉部を開くことに連係して、前記画像形成装置本体への前記像形成構造体の押圧を解除する工程と、
前記開閉部を開くことにより開放された開放部を介して、前記画像形成装置本体内から前記像形成構造体を取り出す工程と、
を有する像形成構造体の取り出し方法。
【発明の詳細な説明】
【技術分野】
【０００１】
本発明は、画像形成装置、像形成構造体の装着方法、及び像形成構造体の取り出し方法に関する。
【背景技術】
【０００２】
特許文献１には、画像形成装置本体に複数の画像形成ステーションを縦方向に並設し、前記各画像形成ステーションには、少なくとも像担持体及び前記像担持体を保護するドラムシャッターを有するプロセスカートリッジを着脱可能に装着した画像形成装置において、前記各プロセスカートリッジにアクセスするための開閉扉と、前記開閉扉の開閉動作に連動して、前記各プロセスカートリッジの前記ドラムシャッターを開閉するためのリンク機構と、を有し、少なくとも１つの前記画像形成ステーションに装着した前記プロセスカートリッジのドラムシャッターの開閉タイミングを他の前記画像形成ステーションに装着した前記プロセスカートリッジのドラムシャッターの開閉タイミングと異ならせる画像形成装置が開示されている。
【０００３】
特許文献２には、電子写真感光体ドラムと、前記電子写真感光体ドラムに作用するプロセス手段と、前記電子写真感光体ドラムがカートリッジ枠体から露出する露出部分を覆う覆い位置と、前記覆い位置から退避して前記露出部分を露出させる露出位置とを取り得るドラムシャッターと、を有するプロセスカートリッジを取り外し可能に装 着して、記録媒体に画像を形成する電子写真画像形成装置において、前記プロセスカートリッジを取り外し可能に装着する装着部と、前記プロセスカートリッジを前記装着部に装着する際に、前記プロセスカートリッジが通過する開口と、前記開口を遮る遮り位置と、前記遮り位置から退避して前記開口を開く開き位置との間を移動可能な開閉部材と、前記開閉部材の前記開き位置から前記閉じ位置への移動に応じて、前記装着部に装着された前記プロセスカートリッジの有する前記ドラムシャッターを前記覆い位置から前記露出位置方向へ移動させるシャッタ開放手段と、前記シャッタ開放手段によって、前記露出位置方向へ移動したドラムシャッターを前記露出位置に位置決めするために、前記ドラムシャッターを前記装置本体に設けられたシャッタ位置決め部に向かって押圧する押圧部材であって、前記開閉部材に設けられた押圧部材と、を有する電子写真画像形成装置が開示されている。
【先行技術文献】
【特許文献】
【０００４】
【特許文献１】特開２００５−２９２４３９号公報
【０００５】
【特許文献２】特開２００５−３１６１９２号公報
【発明の概要】
【発明が解決しようとする課題】
【０００６】
本発明は、簡単な操作で像保持体の保護及び像形成構造体の位置決めを行うことができる画像形成装置、像形成構造体の装着方法、及び像形成構造体の取り出し方法を提供することを目的とする。
【課題を解決するための手段】
【０００７】
請求項１に係る本発明は、画像形成装置本体と、前記画像形成装置本体に設けられた開閉部と、前記開閉部を開くことにより開放される開放部を介して前記画像形成装置本体内に着脱され、像を保持する像保持体及び前記像保持体を保護する位置と前記像保持体から離間した位置との間で移動する像保持体被覆部材を有する像形成構造体と、前記開閉部が開かれることに連係して前記像保持体被覆部材を前記保護する位置に移動させ、前記開閉部が閉じられることに連係して前記像保持体被覆部材を前記離間した位置に移動させる移動機構と、前記開閉部が開かれることに連係して前記像形成構造体の前記画像形成装置本体に対する押圧を解除し、前記開閉部が閉じられることに連係して前記像形成構造体を前記画像形成装置本体に押圧する押圧機構と、を有する画像形成装置である。
【０００８】
請求項２に係る本発明は、前記押圧機構は、前記開閉部が開かれることに連係して前記像保持体の前記画像形成装置本体への押圧を解除し、前記開閉部が閉じられることに連係して前記像保持体を前記画像形成装置本体に押圧する請求項１記載の画像形成装置である。
【０００９】
請求項３に係る本発明は、前記移動機構は、前記開閉部が予め定められた位置まで開かれた後に、前記像保持体被覆部材の前記保護する位置への移動を開始させ、前記開閉部が予め定められた位置まで閉じられるまでに前記像保持体被覆部材の前記像保持体から離間した位置までの移動を完了させる請求項１又は２記載の画像形成装置である。
【００１０】
請求項４に係る本発明は、前記押圧機構は、前記開閉部が予め定められた位置まで開かれた後に、前記像形成構造体の前記画像形成装置本体に対する押圧の解除を開始させ、前記開閉部が予め定められた位置まで閉じられるまでに前記像形成構造体の前記画像形成装置本体に対する押圧を完了させる請求項１乃至３いずれか記載の画像形成装置である。
【００１１】
請求項５に係る本発明は、前記画像形成装置本体内に複数の前記像形成構造体が着脱され、前記画像形成装置本体は、複数の前記像形成構造体が押圧される被押圧部材を有する請求項１乃至４いずれか記載の画像形成装置である。
【００１２】
請求項６に係る本発明は、画像形成装置本体に装着された開閉部を開くことにより開放部を開放する工程と、前記開放部を介して、前記画像形成装置本体内に像を保持する像保持体及び前記像保持体を保護する位置と前記像保持体から離間した位置との間で移動する像保持体被覆部材を有する像形成構造体を装着する工程と、前記開閉部を閉じ、前記開閉部を閉じることに連係して前記像保持体被覆部材を前記離間した位置に移動させるとともに、前記開閉部を閉じることに連係して前記像形成構造体を前記画像形成装置本体に押圧する工程と、を有する像形成構造体の装着方法である。
【００１３】
請求項７に係る本発明は、画像形成装置本体に装着された開閉部を開き、前記開閉部を開くことに連係して、像を保持する像保持体を備える像形成構造体が有する前記像保持体を保護する位置と前記像保持体から離間した位置との間で移動する像保持体被覆部材を、前記保護する位置に移動させるとともに、前記開閉部を開くことに連係して、前記画像形成装置本体への前記像形成構造体の押圧を解除する工程と、前記開閉部を開くことにより開放された開放部を介して、前記画像形成装置本体内から前記像形成構造体を取り出す工程と、を有する像形成構造体の取り出し方法である。
【発明の効果】
【００１４】
請求項１に係る本発明によれば、本構成を有しない場合と比較して、簡単な操作で像保持体の保護及び像形成構造体の位置決めを行うことができる画像形成装置を提供することができる。
【００１５】
請求項２に係る本発明によれば、請求項１に係る本発明が奏する効果を奏することに加えて、本構成を有しない場合と比較して簡単な操作で像保持体の位置決めを行うことができる画像形成装置を提供することができる。
【００１６】
請求項３に係る本発明によれば、請求項１又は２に係る本発明が奏する効果を奏することに加えて、予め定められた所定の位置よりも開閉部が閉じられた側に位置していれば、像保持体被覆部材が像保持体から離間した位置に配置された状態とすることができる画像形成装置を提供することができる。
【００１７】
請求項４に係る本発明によれば、請求項１乃至３いずれかに係る本発明が奏する効果を奏することに加えて、予め定められた位置よりも開閉部が閉じられた側に位置していれば、像形成構造体を画像形成装置本体に対して押圧した状態とすることができる画像形成装置を提供することができる。
【００１８】
請求項５に係る本発明によれば、請求項１乃至４いずれかに係る本発明が奏する効果を奏することに加えて、複数の像形成構造体相互間の位置決めを正確に行うことができる画像形成装置を提供することができる。
【００１９】
請求項６に係る本発明によれば、本構成を有しない場合と比較して、簡単な操作で像保持体の保護及び像形成構造体の位置決めを行うことができる像形成構造体の装着方法を提供することができる。
【００２０】
請求項７に係る本発明によれば、本構成を有しない場合と比較して、簡単な操作で像保持体の保護及び像形成構造体の位置決めを行うことができる像形成構造体の取り外し方法を提供することができる。
【図面の簡単な説明】
【００２１】
【図１】本発明の実施形態に係る画像形成装置を示す斜視図である。
【図２】図１に示す画像形成装置を右側面側から示す断面図である。
【図３】図１に示す画像形成装置の本体に対して主開閉部が開閉される様子と、該本体内に感光体ユニットが着脱される様子とを右側面側から示す側面図である。
【図４】図１に示す画像形成装置に用いられる感光体ユニットを右側面側から示す断面図である。
【図５】図４に示す感光体ユニットを模式的に示す平面図である。
【図６】図４に示す感光体ユニットが有するシャッタ部材の動作を説明し、図６（ａ）はシャッタ部材が感光体ドラムを保護する位置にある状態を示す断面図であり、図６（ｂ）はシャッタ部材が感光体ドラムから離間した位置にある状態を示す断面図である。
【図７】図１に示す画像形成装置が有する画像形成装置本体の構造を模式的に示す平面図である。
【図８】図１に示す画像形成装置が有する左位置決板を右側から示す斜視図である。
【図９】図１に示す画像形成装置が有するリンク機構の構成及び作用を説明する図である。
【図１０】図９に示すリンク機構を示す第１の斜視図である。
【図１１】図９に示すリンク機構を示す第２の斜視図である。
【図１２】図９に示すリンク機構が有する回転部材及び移動部材の動作を説明し、図１２（ａ）は開閉部が開かれた状態における回転部材及び移動部材の状態を説明する右側面図であり、図１２（ｂ）は開閉部が閉じる途中の状態における回転部材及び移動部材の状態を説明する右側面図であり、図１２（ｃ）は開閉部が閉じた状態における回転部材及び移動部材の状態を説明する右側面図である。
【図１３】図９に示すリンク機構が有する押圧突起及び押圧スプリングの動作を説明する第１の右側面図である。
【図１４】図９に示すリンク機構が有する押圧突起及び押圧スプリングの動作を説明する第２の右側面図である。
【図１５】本発明の実施形態に係る像形成構造体の装着方法を説明する図である。
【図１６】本発明の実施形態に係る像形成構造体の取り出し方法を説明する図である。
【発明を実施するための形態】
【００２２】
次に、本発明を実施するための形態を図面を参照して説明する。
図１及び図２には、本発明の実施形態に係る画像形成装置１０が示されている。図１及び図２に示されるように、画像形成装置１０は画像形成装置本体１２を有する。
【００２３】
画像形成装置本体１２には、前方側開閉部１８がヒンジ２０を用いて画像形成装置本体１２に対して開閉することができるように取り付けられている。また、画像形成装置本体１２には、開閉部として用いられる主開閉部２６がヒンジ２８を用いて画像形成装置本体１２に対して開閉することができるように装着されている。また、画像形成装置本体１２の前側には、操作部３２が取り付けられている。
【００２４】
例えば主開閉部２６の上向きの面は、画像形成がなされた用紙が排出される排出部１４として用いられている。
【００２５】
前方側開閉部１８には、供給用開閉部２２が開閉できるように取り付けられている。供給用開閉部２２は、通常は図１及び図２に示すように前方側開閉部１８に対して閉じられている。後述するシート供給装置５１０に収納されたシートとは異なるシートを用いる際に、供給用開閉部２２は前方側開閉部１８に対して開かれる。
【００２６】
主開閉部２６は、通常は画像形成装置本体１２に対して閉じられている。後述する感光体ユニット２００Ｙ、２００Ｍ、２００Ｃ、２００Ｂを画像形成装置本体１２内に着脱する際に主開閉部２６は開かれる。主開閉部２６に装着され、後述する支持ロール７０、中間転写ベルト６２等が前方側開閉部１８と干渉することを防止するため、主開閉部２６を開くことに先立ち、前方側開閉部１８が画像形成装置本体１２に対して開かれる。
【００２７】
前方側開閉部１８を画像形成装置本体１２に対して閉じる際には、前方側開閉部１８を閉じることに先立って、主開閉部２６が画像形成装置本体１２に対して閉じられる。
【００２８】
主開閉部２６には、副開閉部３０が主開閉部２６に対して開閉することができるように取り付けられている。副開閉部３０は主開閉部２６とは独立して開閉することができ、主開閉部２６が画像形成装置本体１２に対して閉じられた状態で、主開閉部２６に対して開いた状態とすることができる。副開閉部３０は、後述する現像剤除去装置３５０の全部又は一部を画像形成装置本体１２内に着脱する際に開かれる。
【００２９】
操作部３２は、例えば、画像形成するシートの枚数を入力するテンキーや、画像形成を開始する際に操作される開始ボタン等を有する。
【００３０】
画像形成装置本体１２内には、シート（記録媒体、用紙）に画像を形成する画像形成部４０が設けられている。画像形成部４０は、例えば４個の感光体ユニット２００Ｙ、２００Ｍ、２００Ｃ、２００Ｋを有する。
【００３１】
感光体ユニット２００Ｙ、２００Ｍ、２００Ｃ、２００Ｋは、それぞれが像形成構造体として用いられていて、感光体ドラム２１０Ｙ、２１０Ｍ、２１０Ｃ、２１０Ｋをそれぞれが有し、それぞれが画像形成装置本体１２内に着脱することができる。感光体ユニット２００Ｙ、２００Ｍ、２００Ｃ、２００Ｋは、画像形成装置本体１２の後側（図２における右側）から順に、感光体ユニット２００Ｙ、２００Ｍ、２００Ｃ、２００Ｋの順に並べられている。感光体ユニット２００Ｙ、２００Ｍ、２００Ｃ、２００Ｋの詳細は後述する。
【００３２】
感光体ドラム２１０Ｙ、２１０Ｍ、２１０Ｃ、２１０Ｋは、それぞれが像を保持する像保持体として用いられている。
【００３３】
また、画像形成部４０は、潜像形成装置として用いられる光書き込み装置４４を有する。光書き込み装置４４は、感光体ドラム２１０Ｙ、２１０Ｍ、２１０Ｃ、２１０Ｋのそれぞれに対して光を照射して、感光体ドラム２１０Ｙ、２１０Ｍ、２１０Ｃ、２１０Ｋのぞれぞれの表面に潜像を形成する。
【００３４】
また、画像形成部４０は、現像装置４６Ｙ、４６Ｍ、４６Ｃ、４６Ｋを有する。現像装置４６Ｙは、収納するイエローのトナーを用いて感光体ドラム２１０Ｙに形成された潜像を現像する。現像装置４６Ｍは、収納するマゼンタのトナーを用いて感光体ドラム２１０Ｍに形成された潜像を現像する。現像装置４６Ｃは、収納するシアンのトナーを用いて感光体ドラム２１０Ｃに形成された潜像を現像する。現像装置４６Ｋは、収納する黒のトナーを用いて感光体ドラム２１０Ｋに形成された潜像を現像する。
【００３５】
また、画像形成部４０は転写装置５８を有し、転写装置５８は、中間転写ベルトユニット６０及び２次転写装置８４を有し、中間転写ベルトユニット６０は中間転写ベルト６２を有する。
【００３６】
中間転写ベルト６２は、感光体ドラム２１０Ｙ、２１０Ｍ、２１０Ｃ、２１０Ｋから像（トナー像）が転写される中間転写体として用いられている。また、中間転写ベルト６２は、無端状であって、支持ロール６４、６６、６８、７０、７２に、図２に矢印で示す方向に回転することができるように掛けわたされている。支持ロール７０には、例えばモータ（不図示）からの駆動が伝達され、駆動の伝達を受けて回転することで、支持ロール７０は中間転写ベルト６２に駆動を伝達する。
【００３７】
また、中間転写ベルトユニット６０は、１次転写装置として用いられる１次転写ロール８０Ｙ、８０Ｍ、８０Ｃ、８０Ｋを有する。１次転写ロール８０Ｙ、８０Ｍ、８０Ｃ、８０Ｋは、感光体ドラム２１０Ｙ、２１０Ｍ、２１０Ｃ、２１０Ｋの表面にそれぞれが形成されたイエロートナー像、マゼンタのトナー像、シアンのトナー像、黒のトナー像を中間転写ベルト６２に転写する。
【００３８】
２次転写装置８４は、２次転写ロール８６を有する。２次転写ロール８６は、中間転写ベルト６２に転写されたイエローのトナー像、マゼンタのトナー像、シアンのトナー像、及び黒のトナー像を、シートに対してさらに転写する。
【００３９】
また、転写装置５８は、現像剤除去装置３５０を有し、現像剤除去装置３５０は掻き落とし部材３５４を有する。現像剤除去装置３５０の一部分は、副開閉部３０を開くことによって形成される開放部を介して画像形成装置本体１２内に着脱することができるようになっている。
【００４０】
転写装置５８を構成する部材のうち、中間転写ベルトユニット６０と、現像剤除去装置３５０とは主開閉部２６に装着されている。転写装置５８のうち、２次転写ロール８６は画像形成装置本体１２に装着されている。また、中間転写ベルト６２は、２次転写装置８４が設けられた側の端部である支持ロール７０に接触している部分が、逆側の端部である支持ロール６４に接触している部分よりも重力方向において下方に位置するように傾斜して配置されている。
【００４１】
また、画像形成装置本体１２内には、２次転写ロール８６によってシートに転写されたトナー像をシートに定着する定着装置５０が設けられている。定着装置５０は、ヒータ５１を有する。定着装置５０は、現像剤像を用紙に加圧することにより、又ヒータ５１が発する熱を加えることによって、現像剤像をシートに定着する。
【００４２】
また、画像形成装置本体１２内には、回収容器３００が設けられている。回収容器３００には、現像装置４６Ｙ、４６Ｍ、４６Ｃ、４６Ｋから排出された劣化した余剰現像剤が回収される。回収容器３００は、例えば感光体ユニット２００Ｋと一体となっている。
【００４３】
また、画像形成装置本体１２内には、画像形成部４０にシートを供給するシート供給装置５１０が装着されている。シート供給装置５１０は、画像形成装置本体１２の前側（図２における左側）に引き出すことができるようになっていて、シート供給装置５１０を画像形成装置本体１２から引き出した状態でシートが補充される。
【００４４】
シート供給装置５１０は、例えば普通紙等のシートを積層した状態で収納するシート収納容器５１２を有する。また、シート供給装置５１０は、シート収納容器５１２に収納された最上位のシートを抽出し、抽出したシートを画像形成部４０へ向けて搬送する搬送ロール５１４を有する。また、シート供給装置５１０は、シートを捌き、画像形成部４０に複数枚のシートが重なった状態で搬送されることを防止するために用いられるリタードロール５１６を有する。
【００４５】
また、画像形成装置本体１２内には、シートの搬送に用いられる搬送路５３０が形成されている。搬送路５３０は、主搬送路５３２と、反転搬送路５３４と、副搬送路５３６とを有する。
【００４６】
主搬送路５３２は、シート供給装置５１０から供給されたシートを画像形成部４０に搬送し、画像が形成されたシートを画像形成装置本体１２外に排出するために用いられる。主搬送路５３２に沿って、シートが搬送される方向における上流側から順に、先述の搬送ロール５１４及びリタードロール５１６と、レジストロール５４２と、先述の２次転写ロール８６と、先述の定着装置５０と、排出ロール５４４とが配置されている。
【００４７】
レジストロール５４２は、シート供給装置５１０側から搬送されてきたシートの先端部を一時的に停止させ、中間転写ベルト６２に各色のトナー像が転写されるタイミングと合致するようにシートを２次転写ロール８６に向けて送り出す。
【００４８】
排出ロール５４４は、定着装置５０によって各色のトナーが定着されたシートを画像形成装置本体１２外に排出する。
【００４９】
反転搬送路５３４は、一方の面にトナー像が定着されたシートを反転させつつ再び画像形成部４０に向けて供給するために用いられる搬送路である。反転搬送路５３４に沿って、例えば２つの反転搬送ロール５４８、５４８が配置されている。反転搬送路５３４には、シートの後端部を挟みこんだ状態で排出ロール５４４が逆回転することでシートが後端部側から供給され、供給されたシートが反転搬送ロール５４８、５４８によって、レジストロール５４２の上流の位置へと搬送される。
【００５０】
副搬送路５３６は、シート供給装置５１０に収納されたシートとは異なるシートを画像形成部４０に供給するための搬送路である。副搬送路５３６には、供給用開閉部２２を開いた状態で画像形成装置本体１２の前側からシートが供給される。副搬送路５３６に沿って、搬送ロール５５２とリタードロール５５４とが設けられている。搬送ロール５５２は、副搬送路５３６に供給されシートを画像形成部４０に向けて搬送する。リタードロール５５４は、副搬送路５３６に供給されたシートを捌き、複数枚のシートが重なった状態でシートが画像形成部４０に搬送されることを防止するために用いられる。
【００５１】
また、画像形成装置本体１２内には、第１の電源ユニット４１０と、第２の電源ユニット４２０とが設けられている。
【００５２】
図３には、主開閉部２６が画像形成装置本体１２に対して開閉される様子と、画像形成装置本体１２内に感光体ユニット２００が着脱される様子とが示されている。
図３に示されるように、画像形成装置本体１２に対して主開閉部２６を開くと、転写装置５８の中間転写ベルトユニット６０及び現像剤除去装置３５０と、第２の電源ユニット４２０とが主開閉部２６とともに移動する。すなわち、中間転写ベルトユニット６０、現像剤除去装置３５０、及び第２の電源ユニット４２０は、画像形成装置本体１２に対して主開閉部２６と一体として開閉する。
【００５３】
主開閉部２６、中間転写ベルトユニット６０、現像剤除去装置３５０、及び第２の電源ユニット４２０が画像形成装置本体１２に対して開かれると、画像形成装置本体１２に形成された開放部３６が開放される。そして、開放部３６を介して、画像形成装置本体１２内に、感光体ユニット２００Ｙ、２００Ｍ、２００Ｃ、２００Ｋがそれぞれ着脱される。回収容器３００は、先述のように感光体ユニット２００Ｋと一体とされている。このため、回収容器３００は、感光体ユニット２００Ｋと一体として画像形成装置本体１２内に着脱される。
【００５４】
また、主開閉部２６は、リンク機構６００と連結することができるようになっている。リンク機構６００は、移動機構として用いられるとともに、押圧機構として用いられている。リンク機構６００の詳細は後述する。
【００５５】
図４は、感光体ユニット２００Ｙを示す断面図である。感光体ユニット２００Ｍ、２００Ｃ、２００Ｋは、用いる現像剤の色が異なるものの感光体ユニット２００Ｙと構成が同一であるため、以下で感光体ユニット２００Ｙについて説明し、感光体ユニット２００Ｍ、２００Ｃ、２００Ｋの説明は省略する。
【００５６】
図４に示されるように、感光体ユニット２００Ｙは感光体ユニット本体２０２Ｙを有し、感光体ユニット本体２０２Ｙに先述の感光体ドラム２１０Ｙが装着されている。感光体ドラム２１０Ｙの一部分は、露出部分２１２Ｙとして感光体ユニット本体２０２Ｙの外部に露出している。感光体ユニット本体２０２Ｙは、感光体ドラム２１０Ｙの一部分が露出するよう装着された筐体として用いられている。
【００５７】
感光体ユニット本体２０２Ｙ内には、感光体ドラム２１０Ｙの表面を均一に帯電する帯電装置２２０Ｙが装着されている。帯電装置２２０Ｙは、感光体ドラム２１０Ｙに接触する帯電ロール２２２Ｙを有する。帯電装置２２０Ｙによって均一に帯電された感光体ドラム２１０Ｙの表面に、光書き込み装置４４（図１参照）によって潜像が書き込まれる。
【００５８】
また、感光体ユニット本体２０２Ｙ内には、クリーニング装置として用いられる掻き落とし部材２２４Ｙが装着されている。掻き落とし部材２２４Ｙは、１次転写ロール８０Ｙ（図１参照）によってイエローのトナー像が中間転写ベルト６２に転写された後に感光体ドラム２１０Ｙの表面に残留したイエローのトナーを掻き落とす。
【００５９】
また、感光体ユニット本体２０２Ｙ内には、掻き落とし部材２２４Ｙによって感光体ドラム２１０Ｙの表面から掻き落とされたイエローのトナーを回収する回収室２２６Ｙが設けられている。
【００６０】
また、感光体ユニット２００Ｙは、像保持体の被覆部材として用いられるシャッタ部材２３０Ｙを有する。シャッタ部材２３０Ｙは、支持部材２３２Ｙと被押圧部材２３４とが連結され、感光体ユニット本体２０２Ｙに装着されていて、感光体ユニット２００Ｙに対して移動することができるようになっている。
【００６１】
支持部材２３２Ｙは、一端部がシャッタ部材２３０Ｙの一端部に回転することができるように連結され、他端部が感光体ユニット本体２０２Ｙに対して回転することができるように連結されている。
【００６２】
被押圧部材２３４Ｙは、一端部が、シャッタ部材２３０Ｙの支持部材２３２Ｙが連結された側の端部と逆側の端部に回転することができるように連係されている。被押圧部材２３４Ｙの他端部は、感光体ユニット本体２０２Ｙの、感光体ドラム２１０Ｙの回転中心に相当する位置を回転中心として回転可能に連結されている。被押圧部材２３４Ｙの左側面には、被押圧部として用いられる被押圧突起２３６が形成されている。被押圧突起２３６には、先述のリンク機構６００（図３参照）と連結することができるようになっている。
【００６３】
図５は、感光体ユニット２００Ｙを模式的に示す平面図である。
図５に示されるように、感光体ユニット本体２０２Ｙには、上向きの面に開放部２０４Ｙが形成されている。開放部２０４Ｙから、感光体ドラム２１０Ｙの一部分が感光体ユニット本体２０２Ｙの外側に露出するようになっている。
【００６４】
また、図５に示されるように、感光体ドラム２１０Ｙは、軸受２０８Ｙ、２０８Ｙを用いて感光体ユニット本体２０２Ｙに回転することができるように取り付けられている。より具体的には、感光体ドラム２１０Ｙの長手方向における両端部から突出した軸部分２１１Ｙ、２１１Ｙが、軸受２０８Ｙ、２０８Ｙに回転することができるように支持され、軸受２０８Ｙ、２０８Ｙが感光体ユニット本体２０２Ｙに固定されている。
【００６５】
また、先述のように、シャッタ部材２３０に連結された被押圧部材２３４Ｙには、左側（図５における上側）に突出するように被押圧突起２３６Ｙが形成されていて、被押圧突起２３６Ｙにリンク機構６００を連結することができるようになっている。尚、シャッタ部材２３０が感光体ドラム２１０Ｙの開放部２０４Ｙを覆う状態の時には、被押圧突起２３６Ｙと軸部分２１１Ｙとは上面視で重なるように配置されている。そして、感光体ユニット２００Ｙが、開放部３６を介して、画像形成装置本体１２内に上下方向に着脱されると、後述の左側装着板１１４に設けられた主凹部１１６Ｙ内に軸部分２１１Ｙと被押圧突起２３６Ｙとが案内されるように嵌まり込む。
【００６６】
図６には、シャッタ部材２３０Ｙの動作が説明されている。シャッタ部材２３０Ｙは、保護する位置として用いられる図５（ａ）に示される位置と、離間した位置として用いられる図５（ｂ）に示される位置との間で移動する。図５（ａ）に示される位置である保護する位置では、シャッタ部材２３０Ｙが感光体ドラム２１０Ｙの露出部分２１２Ｙを覆って感光体ドラム２１０Ｙを保護している。また、図５（ｂ）に示される離間した位置では、シャッタ部材２３０Ｙが感光体ドラム２１０Ｙから離間して、露出部分２１２Ｙが感光体ユニット本体２０２Ｙから露出した状態となる。
【００６７】
シャッタ部材２３０Ｙ、支持部材２３２Ｙ、被押圧部材２３４Ｙのいずれかに、例えばコイルスプリング等からなる付勢部材（不図示）が装着されていて、この装着部材によって、シャッタ部材２３０Ｙは、図６（ａ）に示す保護する位置に位置するように付勢されている。
【００６８】
シャッタ部材２３０Ｙは、感光体ユニット２００Ｙが画像形成装置本体１２から取り外された状態においては、図６（ａ）に示される保護する位置にある。これにより感光体ユニット２００Ｙが画像形成装置本体１２から取り外された状態において、感光体ドラム２１０Ｙが保護される。また、シャッタ部材２３０Ｙは、感光体ユニット２００Ｙが画像形成装置本体１２内に装着され、主開閉部２６が画像形成装置本体１２に対して開いた状態にある場合も、図６（ａ）に示される保護する位置にある。これにより、主開閉部２６が開かれた状態において、感光体ドラム２１０Ｙが保護される。
【００６９】
一方、感光体ユニット２００Ｙが画像形成装置本体１２内に装着され、主開閉部２６が画像形成装置本体１２に対して閉じられると、シャッタ部材２３０Ｙは、図６（ｂ）に示される離間した位置にある。このため、感光体ドラム２１０Ｙの露出部分２１２Ｙが露出した状態となり、感光体ドラム２１０Ｙを画像形成に用いることができるようになる。
【００７０】
シャッタ部材２３０Ｙの保護する位置と離間した位置との間の移動は、主開閉部２６の画像形成装置本体１２に対する開閉動作と連係してなされる。すなわち、先述のリンク機構６００を介して主開閉部２６とシャッタ部材２３０Ｙとが連結されることで、主開閉部２６が開かれることに連係して、シャッタ部材２３０Ｙは離間した位置から保護する位置へと移動する。また、リンク機構６００を介して主開閉部２６とシャッタ部材２３０Ｙとが連結されることで、主開閉部２６を閉じることに連係して、シャッタ部材２３０Ｙは保護する位置から離間する位置へと移動する。
【００７１】
図７は、画像形成装置本体１２を模式的に示す平面図である。
図７に示されるように、画像形成装置本体１２は、基台１０２を有し、基台の上向きの面に略垂直となるように右側フレーム１０４と、左側フレーム１０６とが取り付けられている。右側フレーム１０４には、右側装着板１１０が取り付けられている。また、左側フレーム１０６には、左側装着板１１４と、リンク機構支持板１８０とが取り付けられている。右側装着板１１０及び左側装着板１１４は、複数の感光体ユニット２００（感光体ユニット２００Ｙ、２００Ｍ、２００Ｃ、２００Ｋ）が押圧される被押圧板として用いられている。
【００７２】
右側装着板１１０及び左側装着板１１４は、感光体ユニット２００Ｙ、２００Ｍ、２００Ｃ、２００Ｋを装着するために用いられる。右側装着板１１０には、上端側から下端側に向かって、凹部１１１Ｙ、１１１Ｍ、１１１Ｃ、１１１Ｋが形成されている。また、左側装着板１１４には、上端側から下端側に向かって主凹部１１６Ｙ、１１６Ｍ、１１６Ｃ、１１６Ｋが形成されている（図８参照）。そして、感光体ユニット２００Ｙ、２００Ｍ、２００Ｃ、２００Ｋの右端部側から突出した軸受２０８Ｙ、２０８Ｍ、２０８Ｃ、２０８Ｋが、凹部１１１Ｙ、１１１Ｍ、１１１Ｃ、１１１Ｋに挿入されるようにして支持されている。又、感光体ユニット２００Ｙ、２００Ｍ、２００Ｃ、２００Ｋの左端部側から突出した軸受２０８Ｙ、２０８Ｍ、２０８Ｃ、２０８Ｋが、主凹部１１６Ｙ、１１６Ｍ、１１６Ｃ、１１６Ｋに支持されている。
【００７３】
リンク機構支持板１８０には、リンク機構６００が支持されている。リンク機構６００は、先述のように主開閉部２６に対して連結可能であり、被押圧突起２３６Ｙ、２３６Ｍ、２３６Ｃ、２３６Ｋにそれぞれ連結可能である。また、リンク機構６００によって、感光体ユニット２００Ｙ、２００Ｍ、２００Ｃ、２００Ｋは、それぞれ左側装着板１１４に対して押圧され、左側装着板１１４に対して位置決めすることができるようになっている。より具体的には、感光体ユニット２００Ｙ、２００Ｍ、２００Ｃ、２００Ｋの左端部側からそれぞれに突出した軸受２０８Ｙ、２０８Ｍ、２０８Ｃ、２０８Ｋが、リンク機構６００によって左側装着板１１４に対して押し付けられる。これにより感光体ドラム２１０Ｙ、２１０Ｍ、２１０Ｃ、２１０Ｋが、左側装着板１１４に対して押し付けられ、左側装着板１１４に対して位置決めされる。
【００７４】
また、感光体ユニット２００Ｙ、２００Ｍ、２００Ｃ、２００Ｋの右端部側からそれぞれに突出した軸受２０８Ｙ、２０８Ｍ、２０８Ｃ、２０８Ｋが、右側装着板１１０に対して押し付けられ、右側装着板１１０に対して位置決めされる。
【００７５】
図８には、左側装着板１１４が示されている。
先述のように、左側装着板１１４には、主凹部１１６Ｙ、１１６Ｍ、１１６Ｃ、１１６Ｋが形成されている。また、左側装着板１１４には、主凹部１１６Ｙ、１１６Ｍ、１１６Ｃ、１１６Ｋからそれぞれ分岐するように、円弧上の分岐凹部１１８Ｙ、１１８Ｍ、１１８Ｃ、１１８Ｋが形成されている。
【００７６】
図９には、リンク機構６００の構成及び作用が説明されている。
リンク機構６００は、回転部材６０４と、移動部材６４０と、押圧し、バネ性を有するバネ部材としてのスプリング６６０Ｙ、６６０Ｍ、６６０Ｃ、６６０Ｋとを有する。回転部材６０４には主開閉部２６の動作が伝達され、回転部材６０４の動作が移動部材６４０に伝達され、移動部材６４０とともにスプリング６６０Ｙ、６６０Ｍ、６６０Ｃ、６６０Ｋが移動するようになっている。移動部材６４０は、移動することによって、被押圧部材２３４Ｙ、２３４Ｍ、２３４Ｃ、２３４Ｋの被押圧突起２３６Ｙ、２３６Ｍ、２３６Ｃ、２３６Ｋ（図４参照）をそれぞれに押圧する。そして、押圧されることによって被押圧部材２３４Ｙ、２３４Ｍ、２３４Ｃ、２３４Ｋはそれぞれに移動し、被押圧部材２３４Ｙ、２３４Ｍ、２３４Ｃ、２３４Ｋが移動することによって、シャッタ部材２３０Ｙ、２３０Ｍ、２３０Ｃ、２３０Ｋが、それぞれに移動する。
【００７７】
スプリング６６０Ｙ、６６０Ｍ、６６０Ｃ、６６０Ｋは、それぞれが、感光体ドラム２１０Ｙ、２１０Ｍ、２１０Ｃ、２１０Ｋを右側装着板１１０及び左側装着板１１４に対して押圧するために用いられていて、移動部材６４０とともに移動することによって、それぞれが感光体ドラム２１０Ｙ、２１０Ｍ、２１０Ｃ、２１０Ｋを右側装着板１１０及び左側装着板１１４に対して押し付ける。
【００７８】
図１０及び図１１には、リンク機構６００が示されている。
リンク機構６００は、先述のように回転部材６０４と、移動部材６４０とを有する。回転部材６０４は、図１０に示す矢印ａ１方向及び図１１に示す矢印ｂ１方向に回転することができるようにリンク機構支持板１８０に装着されている。また、回転部材６０４には、例えばトーションスプリングやコイルスプリング等が用いられる付勢部材６９０が装着されていて、付勢部材６９０によって矢印ｂ１方向に回転するように付勢されている。
【００７９】
また、回転部材６０４には、主開閉部２６（図３参照）に設けられた押圧部２７が接触していて、押圧部２７に押されることにより付勢部材６９０の付勢に抗して、矢印ａ１方向に回転するようになっている。より具体的には、主開閉部２６が画像形成装置本体１２に対して閉じられると、回転部材６０４は、押圧部２７に押圧されることにより矢印ａ１方向に回転する。また、主開閉部２６が画像形成装置本体１２に対して開かれると、回転部材６０４は、付勢部材６９０に付勢されることによって矢印ｂ１方向に回転する。
【００８０】
移動部材６４０は回転部材６０４に連結されていて、リンク機構支持板１８０に対して、図１０に示す矢印ａ２方向と、図１１に示す矢印ｂ２方向とに移動することができるようになっている。より具体的には、主開閉部２６が画像形成装置本体１２に対して閉じられて回転部材６０４が矢印ａ１方向に回転し、回転部材６０４が矢印ａ１方向に回転することに連係して移動部材６４０が矢印ａ２方向に移動する。また、主開閉部２６が画像形成装置本体１２に対して開かれて回転部材６０４が矢印ｂ１方向に回転すると、回転部材６０４が矢印ｂ１方向に回転することに連係して移動部材６４０が矢印ｂ１方向に回転する。
【００８１】
移動部材６４０には、先述のようにスプリング６６０Ｙ、６６０Ｍ、６６０Ｃ、６６０Ｋが装着されている。スプリング６６０Ｙ、６６０Ｍ、６６０Ｃ、６６６０Ｋは、それぞれがコイルスプリングからなり、それぞれが移動部材６４０から下側に突出した部分を有している。先述のように、スプリング６６０Ｙ、６６０Ｍ、６６０Ｃ、６６０Ｋは、それぞれが感光体ドラム２１０Ｙ、２１０Ｍ、２１０Ｃ、２１０Ｋを左側装着板１１４に対して押圧する機能を有する。
【００８２】
また、移動部材６４０には、右側（画像形成装置本体１２の内側）に向けて突出するように押圧突起６４４Ｙ、６４４Ｍ、６４４Ｃ、６４４Ｋが形成されている。押圧突起６４４Ｙ、６４４Ｍ、６４４Ｃ、６４４Ｋは、それぞれが、被押圧部材２３４Ｙに形成された被押圧突起２３６Ｙ（図４参照）、被押圧部材２３４Ｍに形成された被押圧突起２３６Ｍ、被押圧部材２３４Ｃに形成された被押圧突起２３６Ｃ、被押圧部材２３４Ｋに形成された被押圧突起２３６Ｋを押圧するようになっている。
【００８３】
図１２には、回転部材６０４及び移動部材６４０の動作の詳細が説明されている。主開閉部２６に形成された押圧部２７は、主開閉部２６が閉じることに連係して、回転中心Ｏを中心に、図１２（ａ）に示す位置から図１２（ｂ）に示す位置を経て図１２（ｃ）に示す位置へと矢印ａ３方向に回転するようになっている。押圧部２７が図１２（ａ）に示す位置から図１２（ｂ）に示す位置へと回転すると、回転部材６０４は矢印ａ１方向に回転し、移動部材６４０は矢印ａ２方向に移動する。
【００８４】
これに対して、主開閉部２６を閉じることよって押圧部２７が図１２（ｂ）に示される位置から図１２（ｃ）に示される位置へ移動しても、回転部材６０４は回転をせず、また移動部材６４０は移動をしない。すなわち、主開閉部２６を閉じる際には、一定の角度まで主開閉部２６を閉じた段階で回転部材６０４の回転及び移動部材６４０の移動が完了し、上述の一定の角度を過ぎた後は、回転部材６０４は回転せず、移動部材６４０は移動しないようになっている。
【００８５】
主開閉部２６が画像形成装置本体１２に対して閉じられた状態から開かれると、押圧部２７は、図１２（ｃ）に示す位置から図１２（ｂ）に示す位置を経て、図１２（ａ）に示す位置へと回転中心Ｏを中心に矢印ｂ３方向に回転する。押圧部２７が図１２（ｃ）に示す位置から図１２（ｂ）へ示す位置へと移動しても、回転部材６０４は移動せず、移動部材６４０は移動しない。これに対して、押圧部２７が図１２（ｂ）に示す位置から図１２（ａ）に示す位置へと移動すると、回転部材６０４は矢印ｂ１方向に回転し、移動部材６４０は矢印ｂ２方向に移動する。すなわち、主開閉部２６を開く際には、一定の角度まで主開閉部２６を開くまでは回転部材６０４は回転をせず移動部材６４０は移動をしないものの、主開閉部２６が上述一定の角度を過ぎた後に回転部材６０４が回転を開始し、移動部材６４０が移動を開始する。
【００８６】
主開閉部２６を閉じる際に回転部材６０４が回転を完了し、移動部材６４０が移動を完了する主開閉部２６の位置と、主開閉部２６を開く際に回転部材６０４が回転を開始し、移動部材６４０が移動を開始する主開閉部２６の位置とは同じである。この回転部材６０４が回転を完了し、移動部材６４０が移動を完了し、回転部材６０４が回転を開始し、移動部材６４０が移動を開始する主開閉部２６の位置は、回転部材６０４の押圧部２７が接触する部分の形状を変更することによって任意に定めることができる。
【００８７】
図１３及び図１４には、移動部材６４０の押圧突起６４４Ｋが設けられた位置近傍が拡大して示されている。
主開閉部２６が画像形成装置本体１２に対して閉じられると、移動部材６４０が図１３に示される位置から図１４に示される位置へと、図１３示される矢印ａ２方向に移動する。移動部材６４０が矢印ａ２方向に移動すると、押圧突起６４４Ｋが被押圧突起２３６Ｋに接触し、被押圧突起２３６Ｋを押圧する。被押圧突起２３６Ｋが押圧突起６４４Ｋに押圧されることで、被押圧部材２３４Ｋは図１３に示される矢印ａ４方向に回転する。そして、被押圧部材２３４Ｋが矢印ａ４方向に回転することに連動して、シャッタ部材２３０Ｋが、図１３に示す感光体ドラム２１０Ｋを保護する位置から、図１４に示す感光体ドラム２１０Ｋから離間した位置へと移動する。
【００８８】
押圧突起６４４Ｋによって、被押圧突起２３６Ｋが押圧されると、被押圧突起２３６Ｋは感光体ドラム２１０Ｋの軸部分２１１Ｋを回転中心として回転し、主凹部１１６Ｋから分岐するように円弧上に設けられた分岐凹部１１８Ｋに入り込む。そしてさらに押圧突起６４４Ｋに押圧されることにより、被押圧突起２３６Ｋが分岐凹部１１８Ｋの底部に押圧される。するとシャッタ部材２３０Ｋが、感光体ドラム２１０Ｋから離間した位置に保持されることになる。
【００８９】
この際、先述のように、主開閉部２６を閉じる際には、一定の角度まで主開閉部２６を閉じた段階で移動部材６４０の移動が完了するようになっているため、主開閉部２６を一定の角度まで閉じた段階でシャッタ部材２３０Ｋの離間する位置への移動が完了する。
【００９０】
また、主開閉部２６が画像形成装置本体１２に対して閉じられ、移動部材６４０が矢印ａ２方向に移動すると、スプリング６６０Ｋが感光体ドラム２１０Ｋに装着された軸受２０８Ｋに接触し、軸受２０８Ｋを左側装着板１１４の主凹部１１６が形成された部分に押圧する。このように軸受２０８Ｋが左側装着板１１４に押圧されることで、感光体ドラム２１０Ｋが左側装着板１１４に対して位置決めされ、感光体ユニット２００が左側装着板１１４に対して位置決めされる。
【００９１】
この際、先述のように、主開閉部２６を閉じる際には、一定の角度まで主開閉部２６を閉じた段階で移動部材６４０の移動が完了するようになっているため、主開閉部２６を一定の角度まで閉じた段階で感光体ドラム２１０Ｋの左側装着板１１４に対する位置決めと、感光体ユニット２００の左側装着板１１４に対する位置決めとが完了する。
【００９２】
一方、主開閉部２６が画像形成装置本体１２に対して開かれると、移動部材６４０が図１４に示される位置から図１３に示される位置へと、図１４示される矢印ｂ２方向に移動する。移動部材６４０が矢印ｂ２方向に移動すると、被押圧部材２３４Ｋは付勢部材（不図示）により付勢され、図１４に示される矢印ｂ４方向に回転する。そして、被押圧部材２３４Ｋが矢印ｂ４方向に回転することに連動して、シャッタ部材２３０Ｋが、図１４に示す感光体ドラム２１０Ｋから離間した位置から、図１３に示す感光体ドラム２１０Ｋを保護する位置へと移動する。
【００９３】
この際、先述のように、主開閉部２６を開く際には、一定の角度まで主開閉部２６を開いた段階で移動部材６４０の移動が開始するようになっている。このため、主開閉部２６を一定の角度まで開いた段階で、シャッタ部材２３０Ｋの保護する位置への移動が開始される。
【００９４】
また、主開閉部２６が画像形成装置本体１２に対して開かれ、移動部材６４０が矢印ｂ２方向に移動すると、スプリング６６０Ｋが感光体ドラム２１０Ｋに装着された軸受２０８Ｋから離間し、左側装着板１１４の主凹部１１６が形成された部分への軸受２０８Ｋの押圧が解除される。この際、先述のように、主開閉部２６を開く際には一定の角度まで主開閉部２６を開いた段階で移動部材６４０の移動が開始するようになっている。このため、主開閉部２６を一定の角度まで開いた段階で、左側装着板１１４の主凹部１１６が形成された部分への軸受２０８Ｋの押圧が解除される。
【００９５】
以上で、主開閉部２６の開閉に連係して、感光体ユニット２００Ｋのシャッタ部材２３０Ｋが開閉し、感光体ドラム２１０Ｋが左側装着板１１４に押圧され、押圧が解除されることを説明したが、感光体ユニット２００Ｙ、２１０Ｍ、２１０Ｃがそれぞれに有するシャッタ部材２３０Ｙ、２３０Ｍ、２３０Ｃも、主開閉部２６の開閉に連係して開閉し、また、感光体ドラム２１０Ｙ、２１０Ｍ、２１０Ｃも主開閉部２６の開閉に連係して左側装着板１１４に押圧され、押圧が解除される。
【００９６】
図１５には、画像形成装置本体１２内に、感光体ユニット２００Ｙ、２１０Ｍ、２１０Ｃ、２１０Ｋの少なくとも１つを装着する方法が説明されている。図１５に示されるように、工程Ｓ１０で、主開閉部２６を開くことにより画像形成装置本体１２の開放部３６が開放される。
【００９７】
次の工程Ｓ２０では、開放部３６を介して画像形成装置本体１２内に、感光体ユニット２００Ｙ、２１０Ｍ、２１０Ｃ、２１０Ｋの少なくとも１つが挿入され、装着される。
【００９８】
次の工程Ｓ３０では、主開閉部２６が画像形成装置本体１２に対して閉じられる。この際、主開閉部２６を閉じることに連係して、シャッタ部材２３０が感光体ドラム２１０を保護する位置から、感光体ドラム２１０から離間した位置へと移動するとともに、主開閉部２６を閉じることに連係して感光体ユニット２００が画像形成装置本体１２の右側装着板１１０及び左側装着板１１４に押圧される。
【００９９】
図１６には、画像形成装置本体１２内から、感光体ユニット２００Ｙ、２１０Ｍ、２１０Ｃ、２１０Ｋの少なくとも１つを取り出す方法が示されている。図１６に示されるように、工程Ｓ１００で、主開閉部２６を開くことにより画像形成装置本体１２の開放部３６が開放される。
【０１００】
この際、主開閉部２６を開くことに連係して、感光体ユニット２００Ｙ、２１０Ｍ、２１０Ｃ、２１０Ｋがそれぞれに有するシャッタ部材２３０Ｙ、２３０Ｍ、２３０Ｃ、２３０Ｋが、感光体ドラムから離間した位置から、感光体ドラムを保護する位置へとそれぞれに移動するとともに、主開閉部２６を開くこことに連係して、感光体ユニット２００Ｙ、２１０Ｍ、２１０Ｃ、２１０Ｋの、画像形成装置本体１２が有する右側装着板１１０及び左側装着板１１４への押圧が解除される。
【０１０１】
そして、次の工程Ｓ１１０で、主開閉部２６を開くことで画像形成装置本体１２に形成された開放部３６を介して、画像形成装置本体１２内から感光体ユニット２００Ｙ、２１０Ｍ、２１０Ｃ、２１０Ｋの少なくとも１つが取り出される。
【産業上の利用可能性】
【０１０２】
以上で説明をしたように、本発明は、例えば複写機、プリンタ、ファクシミリ装置等の画像形成装置と、このような画像形成装置に像形成構造体を装着する像形成構造体の装着方法と、上述のような画像形成装置から像形成構造体を取り外す像形成構造体と取り外し方法とに適用することができる。
【符号の説明】
【０１０３】
１０・・・画像形成装置
１２・・・画像形成装置本体
２６・・・主開閉部
２７・・・押圧部
３６・・・開放部
１１０・・・右側装着板
１１１・・・凹部
１１４・・・左側装着板
１１６・・・主凹部
１８０・・・リンク機構支持板
２００・・・感光体ユニット
２０８・・・軸受
２１０・・・感光体ドラム
２３０・・・シャッタ部材
２３４・・・被押圧部材
２３６・・・被押圧突起
６００・・・リンク機構
６０４・・・回転部材
６４０・・・移動部材
６４４・・・押圧突起
６６０・・・押圧スプリング
６９０・・・付勢部材
【図１】
2010256486.tif 000003
【図２】
2010256486.tif 000004
【図３】
2010256486.tif 000005
【図４】
2010256486.tif 000006
【図５】
2010256486.tif 000007
【図６】
2010256486.tif 000008
【図７】
2010256486.tif 000009
【図８】
2010256486.tif 000010
【図９】
2010256486.tif 000011
【図１０】
2010256486.tif 000012
【図１１】
2010256486.tif 000013
【図１２】
2010256486.tif 000014
【図１３】
2010256486.tif 000015
【図１４】
2010256486.tif 000016
【図１５】
2010256486.tif 000017
【図１６】
2010256486.tif 000018